(57)【要約】【課題】本発明の課題は、コンテンツの内容を表現する言語が複数用意されたコンテンツデータを再生する場合に、その言語のいずれによってコンテンツデータを再生するかを設定する設定操作を視聴者に行わせることなく、その視聴者に適した言語を自動的に設定することができる携帯端末装置を提供すること。【解決手段】本発明の携帯端末装置は、デジタル放送を受信する受信部１００と、前記デジタル放送により伝送されるコンテンツデータのうちの少なくとも１つのコンテンツデータを抽出するＰＥＳパケット分離部１０４と、当該携帯端末装置に接続されたＳＩＭカードから、国を識別可能な国情報を取得するＳＩＭカードＩ／Ｆ１２２を備え、ＰＥＳパケット分離部１０４が、コンテンツの内容が表現される言語についての言語情報が割り当てられた前記コンテンツデータのうちの、ＳＩＭカードＩ／Ｆ１２２により取得した前記国情報に対応する前記言語情報が割り当てられたコンテンツデータを抽出する、ものである。【選択図】図１
2008172767.tif 000002
【特許請求の範囲】
【請求項１】
デジタル放送を受信可能な携帯端末装置であって、
前記デジタル放送を受信する受信部と、
前記デジタル放送により伝送されるコンテンツデータのうちの少なくとも１つのコンテンツデータを抽出する受信コンテンツ分離部と、
国を識別可能な国情報を記憶する記憶手段と、を備え、
前記受信コンテンツ分離部は、コンテンツの内容が表現される言語についての言語情報が割り当てられた前記コンテンツデータのうちの、前記記憶手段に記憶された前記国情報に対応する前記言語情報が割り当てられたコンテンツデータを抽出する、
携帯端末装置。
【請求項２】
請求項１記載の携帯端末装置であって、
前記記憶手段は、当該携帯端末装置に接続された外部記憶装置であることを特徴とする携帯端末装置。
【請求項３】
請求項１または２記載の携帯端末装置であって、
前記受信コンテンツ分離部により抽出したコンテンツデータを再生する再生部を備える携帯端末装置。
【請求項４】
請求項１から３のいずれか１項に記載の携帯端末装置であって、
前記受信コンテンツ分離部により抽出したコンテンツデータを記憶する記憶部を備える携帯端末装置。
【請求項５】
請求項１から４のいずれか１項に記載の携帯端末装置であって、
各種情報を表示する表示部を備え、
前記表示部は、前記受信コンテンツ分離部により抽出した前記コンテンツデータに割り当てられた前記言語情報を識別可能に表示する、
携帯端末装置。
【請求項６】
請求項２から５のいずれか１項に記載の携帯端末装置であって、
前記外部記憶装置は、ＳＩＭ（Subscriber Identity Module）である、
携帯端末装置。
【請求項７】
請求項１から６のいずれか１項に記載の携帯端末装置であって、
前記コンテンツデータは、少なくとも、音声データにより構成されるオーディオデータおよび文字データにより構成されるテキストデータを含む、
携帯端末装置。
【発明の詳細な説明】
【技術分野】
【０００１】
本発明は、デジタル放送を受信可能な携帯端末装置に関し、特に、デジタル放送により伝送される、ある放送番組を構成する複数のコンテンツデータ（本明細書におけるコンテンツデータは、デジタルデータで表現された文字、音、画像、映像、データベースまたはそれらを組み合わせた情報の集合を指すものとする）のうち、所望のコンテンツデータを選択的に受信することができる携帯端末装置に関する。
【背景技術】
【０００２】
最近では、例えば携帯電話のような携帯端末装置に地上デジタル放送用チューナを搭載し、地上デジタル放送（例えばワンセグ放送）として放送される様々な番組のコンテンツデータを受信して記録したり視聴できるように再生するための技術が注目されている。
【０００３】
我国の地上デジタル放送では、ＩＳＤＢ−Ｔ方式が採用されている。すなわち、放送局から放送される６Ｍｈｚの帯域（従来のアナログ放送の１チャンネルに相当）は、１３個のサブバンドに分割されて運用されるのが特徴である。ここで、各サブバンドはセグメントと呼ばれる。１３セグメントのうちの１セグメントは、移動体放送向けに割り当てられており、この１セグメントを使用して、携帯電話やＰＤＡ向けの簡易動画放送などを提供するのが１セグメント放送（ワンセグ放送）である。
【０００４】
ワンセグ放送のような地上デジタル放送を受信する場合には、伝送規格であるＭＰＥＧ２システムズ（Ｍｏｖｉｎｇ Ｐｉｃｔｕｒｅ Ｅｘｐｅｒｔｓ Ｇｒｏｕｐ  ２  Ｓｙｓｔｅｍｓ）に従って多重された放送ストリーム（ＴＳ：トランスポートストリーム）が放送されるので、受信した放送ストリーム（ＴＳ）から各種コンテンツデータを分離し、コンテンツデータを再生したり提示する機能が必要になる。また、必要に応じてコンテンツデータを記録する機能も必要になる。
【０００５】
ＭＰＥＧ２規格では、画像データおよびオーディオデータは、Ｈ２６４やＡＡＣ方式などで圧縮されＥＳ（Elementary Stream）と呼ばれるデータに符号化され、１つのＥＳあるいは複数のＥＳをまとめてＰＥＳ（パケタイズド・エレメンタリストリーム）と称するパケットをつくる。このＰＥＳパケットは、ＴＳ（トランスポートストリーム）パケットのペイロード部に挿入される。
【０００６】
同様に、番組案内データ、及び暗号化鍵を含むデータはプログラムスペシフィックインフォーメーション（ＰＳＩProgram Specific Information）と称され、セクションに分割されて、同じく、ＴＳパケットのペイロードに挿入される。
【０００７】
ＰＳＩはＰＡＴ（プログラムアソシエーションテーブル）やＰＭＴ（プログラムマップテーブル）等を含んで構成されている。ＰＳＩ情報は、例えば、特定時間以内に一度は伝送される。ＰＡＴまたはＰＭＴには、どのパケットがどのようなＰＩＤ（パケット識別子）の値をもつのかが記録されている。
【０００８】
一つのＴＳパケットは１８８バイトの固定長であり、４バイトの固定長のパケットヘッダと、これに続く１８４バイトのデータ部分とで構成される。また、データ部分は、可変長のアダプテーションフィールド（無い場合がある）およびペイロードで構成される。
【０００９】
よって、ＴＳパケットの構成は、ＴＳヘッダ（４バイト）＋アダプテーションフィールド（欠くことがある）＋ＰＥＳパケットの構成か、あるいは、ＴＳヘッダ（４バイト）＋アダプテーションフィールド（欠くことがある）＋セクションの構成に大別できる。
【００１０】
一つの情報源からの連続した情報であるＰＥＳが複数のパケットに分割されて、他の情報源からのＰＥＳパケットと多重化されてストリーム伝送されるため、後に一つのＰＥＳやセクションを再構築できるように、各ＴＳパケットの先頭の４バイトのヘッダには、ＰＩＤ（Packet Identification：パケット識別子）が付加される。すなわち、ＴＳパケットの４バイトのヘッダには、それがどんなパケットなのかを示すＰＩＤ（パケット識別子）が含まれている必要がある。
【００１１】
ＴＳ（トランスポートストリーム）を受信してマルチメディア情報を再生するためには、まず、各ＴＳパケットのＰＩＤを参照してビデオ／オーディオを判別して両者を分離し、その後、ＴＳパケットの復号（デマルチプレクス処理）を実施して、ビデオ／オーディオ情報を再生する。
【００１２】
ところで、１セグ放送等の実際の地上デジタル放送においては、１つの放送ストリーム（ＴＳ）の中で、例えば図７の地上デジタル放送で送出される１つの放送ストリーム（ＴＳ）の構成例を示す模式図に示すように、複数のコンテンツデータが同じ期間に伝送されている。なお、ここでいうコンテンツデータは、デジタル放送を視聴するために放送局や送信局からデジタル放送再生装置（携帯電話端末など）に向けて配信するデータの集合であって、例えば、Ａｕｄｉｏデータ、Ｖｉｄｅｏデータ、デジタルデータ放送用データ、文字データなどから構成される。
【００１３】
従って、デジタル放送再生装置は、特定のコンテンツデータを受信・再生するために、まず、ＰＳＩを受信し、当該ＰＳＩに情報として含まれる、全てのコンテンツデータについてのコンテンツ内容一覧から、所望のコンテンツデータを特定する。つまり、コンテンツデータを特定する際、ＰＳＩを参照して各コンテンツデータに割り当てられるパケット識別子ＰＩＤを特定することになる。
【００１４】
例えば、所望の放送局から提供されている映像コンテンツデータを再生するためには、その映像コンテンツデータに割り当てられたＰＩＤを有するＴＳパケット（図７では、例えば、ＶＩＤＥＯ０１、ＡＵＤＩＯ０１）のみを受信し、受信した複数のＴＳパケットからＰＥＳ（パケタイズド・エレメンタリストリーム）パケットを再構築し、再構築した複数のＰＥＳパケットから映像コンテンツデータを復元することによって、映像コンテンツデータを再生する。
【００１５】
一方、所望のコンテンツ以外のコンテンツデータ（図７では、例えば、ＡＵＤＩＯ０２、ＡＵＤＩＯ０３、ＴＥＸＴ０１）についてのデータを保持するＴＳパケットは、受信されることはない。データ記憶容量がそれほど多くない携帯端末は特に、所望のコンテンツデータのみを受信し、再生する場合が多い。
【００１６】
また、例えば、所望の放送局から提供されている、複数言語の音声により視聴が可能な映像コンテンツデータを再生するためには、その映像コンテンツデータに割り当てられたＰＩＤを有するＴＳパケット（図７では、例えば、ＶＩＤＥＯ０１、ＡＵＤＩＯ０１、ＡＵＤＩＯ０２、ＡＵＤＩＯ０３。ＡＵＤＩＯ０１、ＡＵＤＩＯ０２およびＡＵＤＩＯ０３が言語毎の音声データに相当する）を受信し、映像コンテンツデータを再生する際に予め音出力すべき言語として設定されている言語に対応するＡＵＤＩＯ０ｎ（ｎ＝１、２、３）とＶＩＤＥＯ０１からＰＥＳ（パケタイズド・エレメンタリストリーム）パケットを再構築し、再構築した複数のＰＥＳパケットから映像コンテンツデータを復元することによって、映像コンテンツデータを再生する。特許文献１には、映像コンテンツデータを再生する際に音出力すべき言語を設定するために視聴者が予め設定操作をしておくデジタル放送受信機について記載されている。
【特許文献１】特開２００１−２１８１２１号公報
【発明の開示】
【発明が解決しようとする課題】
【００１７】
しかしながら、特許文献１に記載されているように、複数言語の音声により視聴が可能な映像コンテンツデータを再生する場合、音出力すべき言語を設定する設定操作を視聴者に行わせることは、視聴者に負担を強いることになる。携帯電話端末によって端末利用者しか映像コンテンツデータを再生することがない場合には、その端末利用者に少なくとも１度の設定操作を行わせておけばいいためにその端末利用者の負担はそれほど重くならないが、ＳＩＭ（Subscriber Identity Module）を搭載した携帯電話端末の普及がますます進み、１台の携帯電話端末を複数の端末利用者によって利用することになれば、端末利用者がＳＩＭを差し替えるたびに上述の設定操作を行わなければならず、複数の端末利用者毎の負担は軽いとは言えない。
【００１８】
なお、ここでは具体例として複数言語の音声により視聴が可能な映像コンテンツデータを再生する場合について説明したが、複数言語の字幕（文字データ）により視聴が可能な映像コンテンツデータを再生する場合や、複数言語により表示されるデータ放送用データを再生する場合にも同様に、視聴者に負担を強いることになる。
【００１９】
本発明は、上記事情に鑑みてなされたもので、コンテンツの内容を表現する言語が複数用意されたコンテンツデータを再生する場合に、その言語のいずれによってコンテンツデータを再生するかを設定する設定操作を視聴者に行わせることなく、その視聴者に適した言語を自動的に設定することができる携帯端末装置を提供することを目的とする。
【課題を解決するための手段】
【００２０】
本発明の携帯端末装置は、デジタル放送を受信可能な携帯端末装置であって、前記デジタル放送を受信する受信部と、前記デジタル放送により伝送されるコンテンツデータのうちの少なくとも１つのコンテンツデータを抽出する受信コンテンツ分離部と、国を識別可能な国情報を記憶する記憶手段と、を備え、前記受信コンテンツ分離部が、コンテンツの内容が表現される言語についての言語情報が割り当てられた前記コンテンツデータのうちの、前記記憶手段に記憶された前記国情報に対応する前記言語情報が割り当てられたコンテンツデータを抽出する、ものである。
【００２１】
また、本発明の携帯端末装置は、前記記憶手段が、当該携帯端末装置に接続された外部記憶装置であることを特徴とする。
【００２２】
この構成によれば、コンテンツの内容を表現する言語が複数用意されたコンテンツデータを再生する場合に、その言語のいずれによってコンテンツデータを再生するかを設定する設定操作を視聴者に行わせることなく、その視聴者に適した言語を自動的に設定することができる。
【００２３】
また、本発明の携帯端末装置は、前記受信コンテンツ分離部により抽出したコンテンツデータを再生する再生部を備えるものを含む。
【００２４】
また、本発明の携帯端末装置は、前記受信コンテンツ分離部により抽出したコンテンツデータを記憶する記憶部を備えるものを含む。
【００２５】
この構成によれば、コンテンツの内容を表現する言語が複数用意されたコンテンツデータを再生する場合に、特定のコンテンツデータのみを抽出するため、抽出処理によって装置かかる負担を軽減でき、その結果ハードウェア資源を効率的に利用することができる。
【００２６】
また、本発明の携帯端末装置は、各種情報を表示する表示部を備え、前記表示部が、前記受信コンテンツ分離部により抽出した前記コンテンツデータに割り当てられた前記言語情報を識別可能に表示する、ものを含む。
【００２７】
この構成によれば、装置利用者は、コンテンツデータが表現されている言語を一目で認識することができる。
【００２８】
また、本発明の携帯端末装置は、前記外部記憶装置が、ＳＩＭ（Subscriber Identity Module）である、ものを含む。
【００２９】
この構成によれば、既存の外部記憶装置を利用して本発明を実現することができる。
【００３０】
また、本発明の携帯端末装置は、前記コンテンツデータが、少なくとも、音声データにより構成されるオーディオデータおよび文字データにより構成されるテキストデータを含む。
【００３１】
この構成によれば、デジタル放送により伝送される様々なコンテンツデータ、例えば、Ａｕｄｉｏデータ、Ｖｉｄｅｏデータ、デジタルデータ放送用データ、文字データを利用して本発明を実現することができる。
【発明の効果】
【００３２】
本発明の携帯端末装置によれば、コンテンツの内容を表現する言語が複数用意されたコンテンツデータを再生する場合に、その言語のいずれによってコンテンツデータを再生するかを設定する設定操作を視聴者に行わせることなく、その視聴者に適した言語を自動的に設定することができる。
【発明を実施するための最良の形態】
【００３３】
以下、本発明の実施の形態の携帯端末装置について説明する。図１に示す、本発明の実施の形態の携帯端末装置による処理の概要図を参照して、本発明の実施の形態の携帯端末装置が行う処理の概要を説明する。
【００３４】
携帯電話に代表される近年の携帯端末装置には、ＳＩＭ（Subscriber Identity Module）カードが装着可能なものがある。ＳＩＭカードは、主に携帯電話事業者が携帯電話サービスを提供する契約者に対して発行する、その契約者およびその契約者が使用する携帯端末装置に関する情報を記録したＩＣカードである。契約者は、ＳＩＭカードを複数の携帯端末装置に差し替えても、ＳＩＭカードを装着した携帯端末装置によって同契約者扱いで携帯電話サービスを受けることができる。本発明の実施の形態の携帯端末装置１もまた、ＳＩＭカード２を装着されることによって、携帯電話事業者が提供する携帯電話サービスを装置利用者に利用させるべく各種処理を実行することになる。
【００３５】
ＳＩＭカード２は、上述の契約者およびその契約者が使用する携帯端末装置に関する情報として、携帯端末装置に割り当てられる電話番号やＥ−ｍａｉｌアドレス、および携帯電話事業者がサービスを提供している国に関する国情報、などを記憶している。この他には、携帯電話事業者が独自に割り当てた識別番号などもＳＩＭカード２に記憶されている。
【００３６】
ＳＩＭカード２を装着した携帯端末装置１は、基地局（図示せず）と無線通信を行い当該携帯端末装置１が携帯電話サービスの対象となる端末であると認証されたことを基地局から通知されると、音声通話やデータ通信に代表される基地局とのデータの送受信が必要な処理を実行可能な状態になる。また、携帯端末装置１は、ＳＩＭカード２が装着されると、地上デジタル放送（例えばワンセグ放送）として放送される様々な番組のコンテンツデータを放送局３から受信可能な状態になる。なお、携帯端末装置１は、ＳＩＭカード２が装着されていなくても放送局３から放送波を受信するように構成することも可能であるが、この構成では、携帯電話サービスを提供していない非契約者によって地上デジタル放送が視聴される可能性があるため、ＳＩＭカード２が装着されている場合に放送局３からの放送波を受信する構成が好ましい。
【００３７】
携帯端末装置１は、特定の番組内容を構成するコンテンツデータを受信し、再生するために、まず、ＰＳＩ（図１に図示せず）を受信し、当該ＰＳＩに情報として含まれる、全てのコンテンツデータについてのコンテンツ内容一覧から、所望のコンテンツデータを特定する。つまり、コンテンツデータを特定する際、ＰＳＩを参照して各コンテンツデータに割り当てられるパケット識別子ＰＩＤを特定する。図１における放送波によって伝送されるＴＳパケットの模式図を参照すると、所望の放送局から提供されている映像コンテンツデータを再生するためには、まず、携帯端末装置１は、受信したＰＳＩを参照して、その映像コンテンツデータに割り当てられたＰＩＤ（図１では、ＰＩＤ＝５、１０、２０、３０）を特定する。なお、ＰＳＩには所定のＰＩＤが固定的に割り当てられており、携帯端末装置１にはＰＳＩに割り当てられたＰＩＤが予め設定されているため、携帯端末装置１は、コンテンツデータの中なかＰＳＩを受信することができる。
【００３８】
ＰＩＤを特定した後、携帯端末装置１は、そのＰＩＤを有するＴＳパケット（図１では、ＶＩＤＥＯ（ＴＳ１）、ＡＵＤＩＯ（ＴＳ２）、ＡＵＤＩＯ（ＴＳ３）、ＡＵＤＩＯ（ＴＳ４））を受信し、受信した複数のＴＳパケットからＰＥＳ（パケタイズド・エレメンタリストリーム）パケットを再構築し、再構築した複数のＰＥＳパケットから映像コンテンツデータを復元することによって、映像コンテンツデータを再生する。
【００３９】
このとき、ＡＵＤＩＯ（ＴＳ２）、ＡＵＤＩＯ（ＴＳ３）およびＡＵＤＩＯ（ＴＳ４）がその番組内容を再生したときに音出力される候補となる、言語の異なる音声である場合がある（図１では、ＡＵＤＩＯ（ＴＳ２）が英語（ＥＮＧ）、ＡＵＤＩＯ（ＴＳ３）が日本語（ＪＰＮ）、ＡＵＤＩＯ（ＴＳ４）が仏語（ＦＲＡ）、の音声である）。従来の携帯端末装置であれば、言語の異なる複数の音声が候補として備わる映像コンテンツデータを再生する場合に、選択すべき言語として装置利用者によって予め設定操作された設定内容からいずれか１つの言語を特定し、あるいは再生時に装置利用者による選択操作によっていずれか１つの言語を特定し、ＶＩＤＥＯ（ＴＳ１）とＡＵＤＩＯ（ＴＳｎ）（ｎ＝２、３、４）からＰＥＳパケットを再構築し、再構築した複数のＰＥＳパケットから映像コンテンツデータを復元することによって、映像コンテンツデータを再生していた。
【００４０】
本発明の実施の形態の携帯端末装置１は、ＳＩＭカード２に記録された情報のうちの、特定の国を指し示す情報や解析されることによって特定の国を導くことが可能な情報を参照して、装置利用者が映像コンテンツデータを再生時に選択するであろう言語を特定し、その特定した言語に対応するＡＵＤＩＯ（ＴＳｎ）（ｎ＝２、３、４）とＶＩＤＥＯ（ＴＳ１）からＰＥＳパケットを再構築し、再構築した複数のＰＥＳパケットから映像コンテンツデータを復元することによって、映像コンテンツデータを再生する。
【００４１】
装置利用者が映像コンテンツデータを再生時に選択するであろう言語を特定する携帯端末装置１による処理を述べると、ＳＩＭカード２に記録された情報のうちの電話番号を参照して上述の言語を特定する場合には、その電話番号の規則性からその電話番号が使用されている国を特定し（例えば、電話番号の先頭から数個の数字から、その電話番号が使用されている国を特定する）、その特定した国の言語が装置利用者が映像コンテンツデータを再生時に選択するであろう言語とする。また、ＳＩＭカード２に記録された情報のうちのＥ−ｍａｉｌアドレスを参照して上述の言語を特定する場合には、当該アドレスの最後の「．」の後の文字（図１では、「ＪＰ」）を特定し、その特定した国の言語が装置利用者が映像コンテンツデータを再生時に選択するであろう言語とする。また、ＳＩＭカード２に記録された情報のうちの国情報を参照して上述の言語を特定する場合には、その国情報により特定される国の言語が装置利用者が映像コンテンツデータを再生時に選択するであろう言語とする。なお、「国の言語」とは、母国語とすることが好ましい。
【００４２】
以上、本発明の実施の形態の携帯端末装置によれば、コンテンツの内容を表現する言語が複数用意されたコンテンツデータを再生する場合に、その言語のいずれによってコンテンツデータを再生するかを設定する設定操作を視聴者に行わせることなく、その視聴者に適した言語を自動的に設定することができる。その結果、従来、視聴者にかかっていた、上述の設定操作を強いることによる負担を無くすことができる。以下、本発明の実施の形態の携帯端末装置の構成および処理について詳細に説明する。図２に、本発明の実施の形態の携帯端末装置における機能ブロック図を示す。
【００４３】
本発明の携帯端末装置は、無線アンテナＡＮと、受信部１００と、ＰＥＳ−ＰＩＤ検出部１０２（ＰＳＩチェック部１３０と、言語情報チェック部１３１と、ビデオ／オーディオＰＩＤ値抽出部１３２とを備える）と、ＰＥＳパケット分離部１０４と、記録・再生制御部１０６と、メモリ（半導体メモリ、ハードディスクの他、ＳＤカードのような各種の記録媒体を含むものとする）１０８と、ビデオ復号部１１０と、オーディオ復号部１１２と、表示制御部１１４と、オーディオ再生部１１６と、ディスプレイ（液晶ディスプレイ等）１１８と、スピーカ１２０と、ＳＩＭカードＩ／Ｆ１２２、チャンネル選択部１４０、番組情報表示部１４２、操作入力部１４４、チャンネルリスト１４６を有する。
【００４４】
受信部１００は、例えば、マルチキャリア方式の変調方式であるＯＦＤＭによって変調された、地上デジタル放送（アナログ放送と同一のＴＶ周波数帯域（ＵＨＦ帯）をもつ）を受信する。
【００４５】
この受信部１００からは、ＭＰＥＧ２に準拠したトランスポートストリーム信号（ＭＰＥＧ２−ＴＳ）が出力される。このＭＰＥＧ２−ＴＳは、ＰＥＳパケット分離部１０４と、その前段に配置されているＰＥＳ−ＰＩＤ検出部１０２に並行的に供給される。
【００４６】
ＰＥＳ−ＰＩＤ検出部１０２では、ＰＡＴ（プログラムアソシエーションテーブル）やＰＭＴ（プログラムマップテーブル）等によって構成されるＰＳＩの情報を利用して、ビデオデータとオーディオデータを含むＴＳパケットのＰＩＤ値を検出（抽出）する。その概要は以下のとおりである。
【００４７】
すなわち、ＰＳＩチェック部１３０は、特定のコンテンツデータを受信・再生するために、まず、ＰＳＩがペイロード部に挿入されたＴＳパケットを抽出する。具体的には、ＰＳＩチェック部１３０は、ＰＭＴのＰＩＤを指定するＰＡＴ（ＰＡＴのＰＩＤは固定的に割り当てられている）がペイロード部に挿入されたＴＳパケットを抽出してＰＭＴがペイロード部に挿入されたＴＳパケットを抽出し、さらに、ＰＳＩを構成するＥＩＴ（Event Information Table）がペイロード部に挿入されたＴＳパケットを抽出し、ＰＭＴおよびＥＩＴについてのデータを言語情報チェック部１３１に出力する。なお、ＰＭＴは、放送番組を構成する各符号化信号を伝送するＴＳパケットのＰＩＤ（Packet ID）を指定する情報が含まれ、ＥＩＴは、番組の名称、放送日時、内容の説明など番組に関する情報を指示する情報が含まれている。
【００４８】
図３に、ＰＭＴ（Program Map Table）のデータ構造（ａ）とＰＭＴにおけるストリーム識別記述子のデータ構造（ｂ）を示し、図４に、ＥＩＴ（Event Information Table）のデータ構造（ａ）とＥＩＴにおける音声コンポーネント記述子（言語情報）のデータ構造（ｂ）を示す。図３に示すＰＭＴのデータ構造の項目のうち、stream_typeには対象ＥＳの種類（ＶＩＤＥＯ、ＡＵＤＩＯ、字幕、文字スーパーなどの種別）が符号化されており、elementary_PIDには対象ＥＳを形成するＴＳパケットのＰＩＤが符号化されている。また、記述子descriptor( )には、ＰＭＴとＥＩＴを関連付ける識別情報component_tagが符号化されている。一方、図４に示すＥＩＴのデータ構造の項目のうちの記述子descriptor( )には、ＰＭＴとＥＩＴを関連付ける識別情報component_tag（ＰＭＴにおける識別情報component_tagと共通）が符号化されており、また、ISO_639_language_codeおよびISO_639_language_code_2には、言語情報が符号化されており、component_tag毎に言語情報が対応している。表１にISO_639_language_codeと国との対応テーブルの一例を示す。
【表１】
2008172767.tif 000003
【００４９】
言語情報チェック部１３１は、ＰＳＩチェック部１３０からＥＩＴおよびＰＭＴについてのデータを入力するとともに、ＳＩＭカードＩ／Ｆ１２２を介してＳＩＭカード２から特定の国を指し示す情報や解析されることによって特定の国を導くことが可能な情報を入力する。言語情報チェック部１３１は、ＰＳＩチェック部１３０から入力したＥＩＴから、各component_tag毎の言語情報ISO_639_language_code（または、ISO_639_language_code_2）を対応付けてメモリ（図示せず）に記憶し、さらに、ＰＳＩチェック部１３０から入力したＰＭＴから、各component_tag毎のelementary_PIDを対応付けてメモリに記憶することにより、言語情報とelementary_PIDとを対応付けた対応テーブルをビデオ／オーディオＰＩＤ値抽出部１３２に出力する。
【００５０】
さらに、言語情報チェック部１３１は、ＳＩＭカードＩ／Ｆ１２２を介してＳＩＭカード２から特定の国を指し示す情報や解析されることによって特定の国を導くことが可能な情報を入力すると、その国の言語として用いられている言語情報ISO_639_language_codeを、ISO_639_language_codeと国との対応テーブルを参照して特定し、その言語情報を選択すべき言語としてビデオ／オーディオＰＩＤ値抽出部１３２に出力する。
【００５１】
そして、ビデオ／オーディオＰＩＤ値抽出部１３２は、ある番組を構成するコンテンツデータにおけるstream_typeが「オーディオデータ」であるelementary_PIDのうち、各elementary_PIDに対応する言語情報ISO_639_language_codeに複数の種類があれば、選択すべき言語としての言語情報に対応するelementary_PIDを選択すべきＰＩＤとして、それ以外の言語情報に対応するelementary_PIDを選択すべきでないＰＩＤとして、ＰＥＳパケット分離部１０４に出力する。
【００５２】
ＰＥＳパケット分離部１０４は、受信したＭＰＥＧ２−ＴＳに含まれる多数のＴＳパケットのＰＩＤ値を参照し、ＰＥＳ−ＰＩＤ検出部１０２から選択すべきＰＩＤとして入力されたＰＩＤをもつＴＳパケットを抽出し、一方、選択すべきでないＰＩＤとして入力されたＰＩＤをもつＴＳパケットを抽出しない。ＰＥＳパケット分離部１０４は、抽出したＴＳパケットのペイロードに挿入されているＰＥＳパケットを取り出し、再組立を行って、ビデオＰＥＳ（Ｖ−ＰＥＳ）はビデオ復号部１１０に、オーディオＰＥＳ（Ａ−ＰＥＳ）はオーディオ復号部１１２にそれぞれ分離して出力する。
【００５３】
続いて、ビデオＰＥＳ（Ｖ−ＰＥＳ）については、ビデオ復号部１１０にて復号処理が行われ、また、オーディオＰＥＳ（Ａ−ＰＥＳ）については、オーディオ復号部１１２にて復号処理が行われる。
【００５４】
復号されたビデオデータは表示制御部１１４に送られ、この表示制御部１１４の制御によって、ディスプレイ１１８上に動画映像が表示される。また、復号されたオーディオデータはオーディオ再生部１１６に送られ、このオーディオ再生部１１６にてオーディオ信号が再生され、その結果、スピーカ１２０から音声が出力される。
【００５５】
また、ＰＥＳパケット分離部にて分離されたＶ−ＰＥＳとＡ−ＰＥＳを、一旦、メモリ１０８に記録する場合には、Ｖ−ＰＥＳとＡ−ＰＥＳは記録・再生制御部１０６に送られる。
【００５６】
チャンネル選択部１４０は、ＰＥＳ−ＰＩＤ検出部１０２によって検出されるＰＡＴやＰＭＴ等によって構成されるＰＳＩの情報を利用して、また、操作入力部１４４によって受け付けるチャンネル切り替え操作によって、受信すべきチャンネルの周波数を切り替え、その周波数を受信部１００に通知する。
【００５７】
番組情報表示部１４２は、チャンネルリスト１４６に登録されたコンテンツ一覧やＥＰＧ（Electric Prgram Guide）を出力する。なお、番組情報表示部１４２をディスプレイ１１８が兼ねてもよい。
【００５８】
次に、本発明の実施の形態の携帯端末装置による、コンテンツの内容を表現する音声に複数の言語が用意されたコンテンツデータを再生する場合の処理の流れを、図５に示す、本発明の実施の形態の携帯端末装置による処理の流れを示すフローチャートを参照して説明する。
【００５９】
携帯端末装置利用者があるチャンネルのデジタル放送の視聴を開始するために所定の操作を行う、あるいは携帯端末装置利用者によって所定のチャンネルのデジタル放送を録画するよう予め設定されていた時刻になると、携帯端末装置１は、そのチャンネルに周波数を合わせてＴＳパケットの受信を開始し、そのＴＳパケットのうちのＰＳＩがペイロードに挿入されているＴＳパケットの抽出を開始する。携帯端末装置１は、ＰＭＴおよびＥＩＴがペイロードに挿入されているＴＳパケットを抽出して（ステップ５０１）、そのＰＭＴおよびＥＩＴの情報から、そのデジタル放送により放映されている番組の情報、特にその番組を構成するコンテンツデータのＰＩＤ（elementary_ID）およびそのコンテンツデータの言語情報（ISO_639_language_codeまたはISO_639_language_code_2）を特定して、ＰＩＤと言語情報とを対応付けた対応テーブルを生成する（ステップ５０２）。
【００６０】
一方、携帯端末装置１は、当該装置に装着されたＳＩＭカード２に記録された情報のうち、電話番号やＥ−ｍａｉｌアドレスなどを読み取り、それらの情報を解析してそれらの情報に対応する国を特定する。そして、携帯端末装置１は、特定したその国の言語として用いられている言語情報を、言語情報と国との対応テーブルを参照して特定し、その言語情報を選択すべき言語情報として設定する（ステップ５０３）。
【００６１】
そして、携帯端末装置１は、stream_typeを参照して、ＰＳＩを受信した１つの番組に複数のオーディオデータがあるか否かを判定する（ステップ５０４）。携帯端末装置１は、複数のオーディオデータがあると判定すれば（ステップ５０４、Ｎ）、それらのオーディオデータに割り当てられた複数のＰＩＤを特定し（ステップ５０５）、ＰＩＤと言語情報とを対応付けた対応テーブルを参照して、それらのＰＩＤのうちの、選択すべき言語情報に対応付けられたＰＩＤを特定する（ステップ５０６）。そして、携帯端末装置１は、そのＰＩＤにより特定されるオーディオデータがペイロードに挿入されているＴＳパケット、およびビデオデータがペイロードに挿入されているＴＳパケットの受信を開始する（ステップ５０７）。一方、携帯端末装置１は、１つのオーディオデータのみであると判定すれば（ステップ５０４、Ｙ）、そのオーディオデータに割り当てられたＰＩＤにより特定されるＴＳパケット、およびビデオデータがペイロードに挿入されているＴＳパケットの受信を開始する（ステップ５０７）。
【００６２】
ＰＳＩがペイロードに挿入されているＴＳパケットは、所定の時間間隔で放送局から送信されるため、携帯端末装置１は、そのＴＳパケットを受信するたびに、ステップ５０１からステップ５０７の処理を繰り返す（ステップ５０８、Ｎ）。その後、携帯端末装置利用者がデジタル放送の視聴を終了するために所定の操作を行う、あるいは携帯端末装置利用者によってデジタル放送の録画を終了するよう予め設定されていた時刻になると（ステップ５０８、Ｙ）、携帯端末装置１は、ＴＳパケットの受信を終了することになる。
【００６３】
次に、図５に示すフローチャートを参照して説明した処理を応用した例について説明する。まず、携帯端末装置利用者がテレビを起動する操作を行う状況に応用した例について、図８に示す、本発明の実施の形態の携帯端末装置による処理の流れを示すフローチャートを参照して説明する。
【００６４】
まず、携帯端末装置利用者がテレビを起動する操作を行った場合には、前回、テレビを起動している期間に最後に選局していたチャンネル（ラストチャンネル）を情報として記憶させておくことによって、今回、携帯端末装置利用者がテレビを起動する操作を行ったときにそのラストチャンネルに周波数を合わせてＴＳパケットの受信を開始し（ステップ８０１）、そのＴＳパケットのうちのＰＳＩがペイロードに挿入されているＴＳパケットの抽出を開始する。携帯端末装置１は、ＰＭＴおよびＥＩＴがペイロードに挿入されているＴＳパケットを抽出して（ステップ５０１）、そのＰＭＴおよびＥＩＴの情報から、そのデジタル放送により放映されている番組の情報、特にその番組を構成するコンテンツデータのＰＩＤ（elementary_ID）およびそのコンテンツデータの言語情報（ISO_639_language_codeまたはISO_639_language_code_2）を特定して、ＰＩＤと言語情報とを対応付けた対応テーブルを生成する（ステップ５０２）。
【００６５】
一方、携帯端末装置１は、当該装置に装着されたＳＩＭカード２に記録された情報のうち、電話番号やＥ−ｍａｉｌアドレスなどを読み取り、それらの情報を解析してそれらの情報に対応する国を特定する。そして、携帯端末装置１は、特定したその国の言語として用いられている言語情報を、言語情報と国との対応テーブルを参照して特定し、その言語情報を選択すべき言語情報として設定する（ステップ５０３）。
【００６６】
そして、携帯端末装置１は、オーディオデータに割り当てられたＰＩＤを特定し（ステップ５０５）、ＰＩＤと言語情報とを対応付けた対応テーブルを参照して、それらのＰＩＤのうちの、選択すべき言語情報に対応付けられたＰＩＤの有無を判別する（ステップ８０２）。携帯端末装置１は、選択すべき言語情報に対応付けられたＰＩＤ有りと判別すれば（ステップ８０２、Ｙ）、そのＰＩＤにより特定されるオーディオデータがペイロードに挿入されているＴＳパケット、およびビデオデータがペイロードに挿入されているＴＳパケットの受信、再生を開始する（ステップ５０７）。一方、携帯端末装置１は、選択すべき言語情報に対応付けられたＰＩＤ無しと判別すれば（ステップ８０２、Ｎ）、上記ラストチャンネルを除く別のチャンネル（例えば、ラストチャンネルから昇順にまたは降順に離れたチャンネル）に周波数を合わせ（ステップ８０３）、ステップ５０１からステップ８０２に至る処理を繰り返す。
【００６７】
ＰＳＩがペイロードに挿入されているＴＳパケットは、所定の時間間隔で放送局から送信されるため、携帯端末装置１は、そのＴＳパケットを受信するたびに、ステップ５０１からステップ５０８に至る処理を繰り返す（ステップ５０８、Ｎ）。その後、携帯端末装置利用者がデジタル放送の視聴を終了するために所定の操作を行うと（ステップ５０８、Ｙ）、携帯端末装置１は、その所定の操作を受け付けた時点で周波数を合わせていたチャンネルをラストチャンネルとして記憶し（ステップ８０４）、ＴＳパケットの受信を終了することになる。
【００６８】
このように、携帯端末装置利用者がテレビを起動するための操作を行う場合であって、特定の言語によってその内容が表現されていないコンテンツを放送するラストチャンネルにチューニングされたとき、そのコンテンツを放送しているラストチャンネルをスキップして別のチャンネルに切り替えることによって、コンテンツの内容を表現している言語の種別に特化したチャンネルの切り替えを実現することができる。
【００６９】
次に、携帯端末装置がチャンネルスキャンを行う状況に応用した例について、図９に示す、本発明の実施の形態の携帯端末装置による処理の流れを示すフローチャートを参照して説明する。
【００７０】
携帯端末装置１は、チャンネルスキャンを開始すると、あるチャンネルに周波数を合わせてＴＳパケットの受信を開始し（ステップ９０１）、そのＴＳパケットのうちのＰＳＩがペイロードに挿入されているＴＳパケットの抽出を開始する。携帯端末装置１は、ＰＭＴおよびＥＩＴがペイロードに挿入されているＴＳパケットを抽出して（ステップ５０１）、そのＰＭＴおよびＥＩＴの情報から、そのデジタル放送により放映されている番組の情報、特にその番組を構成するコンテンツデータのＰＩＤ（elementary_ID）およびそのコンテンツデータの言語情報（ISO_639_language_codeまたはISO_639_language_code_2）を特定して、ＰＩＤと言語情報とを対応付けた対応テーブルを生成する（ステップ５０２）。
【００７１】
一方、携帯端末装置１は、当該装置に装着されたＳＩＭカード２に記録された情報のうち、電話番号やＥ−ｍａｉｌアドレスなどを読み取り、それらの情報を解析してそれらの情報に対応する国を特定する。そして、携帯端末装置１は、特定したその国の言語として用いられている言語情報を、言語情報と国との対応テーブルを参照して特定し、その言語情報を選択すべき言語情報として設定する（ステップ５０３）。
【００７２】
そして、携帯端末装置１は、オーディオデータに割り当てられたＰＩＤを特定し（ステップ５０５）、ＰＩＤと言語情報とを対応付けた対応テーブルを参照して、それらのＰＩＤのうちの、選択すべき言語情報に対応付けられたＰＩＤの有無を判別する（ステップ８０２）。携帯端末装置１は、選択すべき言語情報に対応付けられたＰＩＤ有りと判別すれば（ステップ８０２、Ｙ）、そのＰＩＤにより特定されるオーディオデータがペイロードに挿入されているＴＳパケット、およびビデオデータがペイロードに挿入されているＴＳパケットを含むコンテンツを受信し（ステップ９０２）、そのコンテンツ、またはそのコンテンツを識別する情報（例えば、テレビ番組名など）をチャンネルリストに記録する（ステップ９０３）。一方、携帯端末装置１は、選択すべき言語情報に対応付けられたＰＩＤ無しと判別すれば（ステップ８０２、Ｎ）、チャンネルリストへの登録を行わない。その後、携帯端末装置１は、まだチャンネルスキャンしていないチャンネルがあれば（ステップ９０４、Ｙ）、スキャンしていない別のチャンネルに周波数を合わせ（ステップ９０５）、ステップ５０１からステップ９０３に至る処理を繰り返す。
【００７３】
全チャンネルのスキャンが終了すると、特定の言語によってその内容が表現されているコンテンツ（またはそのコンテンツを識別する情報）がチャンネルリストに登録されていることになる。このチャンネルリストを番組情報表示部１４２に出力することによって、視聴者は、現在放送中のコンテンツのうち、特定の言語によってその内容が表現されているものを識別することができる。
【００７４】
なお、ここでは、現在放送中のコンテンツのうち、特定の言語によってその内容が表現されているものの一覧をチャンネルリストを用いて出力するようにしたが、このチャンネルリストがＥＰＧ（Electric Program Guide）であっても構わない。例えば、ＥＰＧ上の各テレビ番組を表すセルに、当該テレビ番組を構成するコンテンツが特定の言語によって表現されているか否かを識別可能なマークを表示する、などの構成である。
【００７５】
次に、携帯端末装置利用者があるチャンネルから別のチャンネルへチャンネルの切り替え操作を行う状況に応用した例について、図１０に示す、本発明の実施の形態の携帯端末装置による処理の流れを示すフローチャートを参照して説明する。
【００７６】
携帯端末装置１は、携帯端末装置利用者によるチャンネルの切り替え操作を受け付けると、切り替え先のチャンネルに周波数を合わせてＴＳパケットの受信を開始し（ステップ１００１）、そのＴＳパケットのうちのＰＳＩがペイロードに挿入されているＴＳパケットの抽出を開始する。携帯端末装置１は、ＰＭＴおよびＥＩＴがペイロードに挿入されているＴＳパケットを抽出して（ステップ５０１）、そのＰＭＴおよびＥＩＴの情報から、そのデジタル放送により放映されている番組の情報、特にその番組を構成するコンテンツデータのＰＩＤ（elementary_ID）およびそのコンテンツデータの言語情報（ISO_639_language_codeまたはISO_639_language_code_2）を特定して、ＰＩＤと言語情報とを対応付けた対応テーブルを生成する（ステップ５０２）。
【００７７】
一方、携帯端末装置１は、当該装置に装着されたＳＩＭカード２に記録された情報のうち、電話番号やＥ−ｍａｉｌアドレスなどを読み取り、それらの情報を解析してそれらの情報に対応する国を特定する。そして、携帯端末装置１は、特定したその国の言語として用いられている言語情報を、言語情報と国との対応テーブルを参照して特定し、その言語情報を選択すべき言語情報として設定する（ステップ５０３）。
【００７８】
そして、携帯端末装置１は、オーディオデータに割り当てられたＰＩＤを特定し（ステップ５０５）、ＰＩＤと言語情報とを対応付けた対応テーブルを参照して、それらのＰＩＤのうちの、選択すべき言語情報に対応付けられたＰＩＤの有無を判別する（ステップ８０２）。携帯端末装置１は、選択すべき言語情報に対応付けられたＰＩＤ有りと判別すれば（ステップ８０２、Ｙ）、そのＰＩＤにより特定されるオーディオデータがペイロードに挿入されているＴＳパケット、およびビデオデータがペイロードに挿入されているＴＳパケットの受信、再生を開始する（ステップ５０７）。一方、携帯端末装置１は、選択すべき言語情報に対応付けられたＰＩＤ無しと判別すれば（ステップ８０２、Ｎ）、上記切り替え先のチャンネルを除く別のチャンネル（例えば、ラストチャンネルから昇順にまたは降順に離れたチャンネル）に周波数を合わせ（ステップ８０３）、ステップ５０１からステップ８０２に至る処理を繰り返す。
【００７９】
ＰＳＩがペイロードに挿入されているＴＳパケットは、所定の時間間隔で放送局から送信されるため、携帯端末装置１は、そのＴＳパケットを受信するたびに、ステップ５０１からステップ５０８に至る処理を繰り返す（ステップ５０８、Ｎ）。その後、携帯端末装置利用者がデジタル放送の視聴を終了するために所定の操作を行うと（ステップ５０８、Ｙ）、ＴＳパケットの受信を終了することになる。なお、携帯端末装置１は、ＴＳパケットの受信中に携帯端末装置利用者によるチャンネルの切り替え操作を受け付けると、ステップ１００１の処理に戻り、ステップ１００１からステップ５０８に至る処理を繰り返す。
【００８０】
このように、携帯端末装置利用者がチャンネルの切り替え操作を行う場合であって、特定の言語によってその内容が表現されていないコンテンツに切り替えたとき、そのコンテンツを放送しているチャンネルスキップして別のチャンネルに切り替えることによって、コンテンツの内容を表現している言語の種別に特化したチャンネルの切り替えを実現することができる。
【００８１】
以上、本発明の実施の形態の携帯端末装置によれば、コンテンツの内容を表現する音声に複数の言語が用意されたコンテンツデータを再生する場合に、その言語のいずれによってコンテンツデータを再生するかを設定する設定操作を視聴者に行わせることなく、その視聴者に適した言語を自動的に設定することができる。その結果、従来、視聴者にかかっていた、上述の設定操作を強いることによる負担を無くすことができる。
【００８２】
なお、本発明の実施の形態では、携帯端末装置が、国の言語として用いられている言語情報をＳＩＭカードＩ／Ｆから読み取る構成について説明したが、一旦ＳＩＭカードＩ／Ｆから読み取った言語情報を携帯端末装置に備わる記憶装置に記憶しておき、以後その記憶装置に記憶しておいた言語情報を参照して、受信する各コンテンツがその言語情報により特定される言語によってその内容が表現されたものであるか否かを判別する構成にしてもよい。
【００８３】
なお、ステップ５０７の処理によって受信したオーディオデータおよびビデオデータを再生してディスプレイ１１８に表示する場合、あるいは受信したオーディオデータおよびビデオデータを録画後に再生してディスプレイ１１８に表示する場合、図６に示す、本発明の実施の形態の携帯端末装置におけるディスプレイの表示例のように、ディスプレイ１１８上に選択すべき言語情報を識別可能に表示して（図６（ａ）であれば日本語を意味する文字「日」をディスプレイの上端に強調するように表示している。また、図６（ｂ）でればポップダウンメニューを表示する際に日本語を意味する文字「日」を強調するようにして表示している）、現在表示している映像がどの言語の音声によって出力されているかを装置利用者が視覚的に認識できるようにしてもよい。
【００８４】
また、ある番組を構成するオーディオデータおよびビデオデータを記録する場合に、所定の操作によって、本発明の特徴である「選択すべき言語情報に応じたオーディオデータのみを抽出する処理」を実行して特定のオーディオデータのみを記録する構成と、「全てのオーディオデータを抽出する処理」を実行して全てのオーディオデータを記録する構成と、を切り替えることができるように、本発明の携帯端末装置を構成してもよい。この所定の操作を実現するに当たって、専用の操作キーを携帯端末装置に設ければ、装置利用者は簡単な操作でこの切替操作を行うことができる。
【００８５】
また、本発明の実施の形態では、複数言語の音声により視聴が可能な映像コンテンツデータを再生する場合について説明したが、複数言語の字幕（文字データ）により視聴が可能な映像コンテンツデータを再生する場合や複数言語により表示されるデータ放送用データを再生する場合にも、ビデオ／オーディオＰＩＤ値抽出部１３２が、stream_typeが「字幕データ」や「データ放送用データ」であるelementary_PIDの抽出するように構成すれば、複数言語の音声により視聴が可能な映像コンテンツデータを再生する本発明の実施の形態の携帯端末装置と同様に処理することができる。
【産業上の利用可能性】
【００８６】
以上、本発明の携帯端末装置によれば、コンテンツの内容を表現する言語が複数用意されたコンテンツデータを再生する場合に、その言語のいずれによってコンテンツデータを再生するかを設定する設定操作を視聴者に行わせることなく、その視聴者に適した言語を自動的に設定することができるという効果を奏し、デジタル放送により伝送される、ある放送番組を構成する複数のコンテンツデータのうち、所望のコンテンツデータを選択的に受信する携帯端末装置の分野において有用である。
【図面の簡単な説明】
【００８７】
【図１】本発明の実施の形態の携帯端末装置による処理の概要図
【図２】本発明の実施の形態の携帯端末装置における機能ブロック図
【図３】ＰＭＴ（Program Map Table）のデータ構造（ａ）とＰＭＴにおけるストリーム識別記述子のデータ構造（ｂ）
【図４】ＥＩＴ（Event Information Table）のデータ構造（ａ）とＥＩＴにおける音声コンポーネント記述子（言語情報）のデータ構造（ｂ）
【図５】本発明の実施の形態の携帯端末装置による処理の流れを示すフローチャート
【図６】本発明の実施の形態の携帯端末装置におけるディスプレイの表示例
【図７】地上デジタル放送で送出される１つの放送ストリーム（ＴＳ）の構成例を示す模式図
【図８】本発明の実施の形態の携帯端末装置による処理の流れを示すフローチャート
【図９】本発明の実施の形態の携帯端末装置による処理の流れを示すフローチャート
【図１０】本発明の実施の形態の携帯端末装置による処理の流れを示すフローチャート
【符号の説明】
【００８８】
１  携帯端末装置
１００  受信部
１０２  ＰＥＳ−ＰＩＤ検出部
１０４  ＰＥＳパケット分離部
１０６  記録・再生制御部
１０８  メモリ
１１０  ビデオ復号部
１１２  オーディオ復号部
１１４  表示制御部
１１６  オーディオ再生部
１１８  ディスプレイ
１２０  スピーカ
１２２  ＳＩＭカードＩ／Ｆ
１３０  ＰＳＩチェック部
１３１  言語情報チェック部
１３２  ビデオ/オーディオＰＩＤ値抽出部
２  ＳＩＭカード
３  放送局
ＴＳ１、ＴＳ２、ＴＳ３、ＴＳ４  ＴＳパケット
【図１】
2008172767.tif 000004
【図２】
2008172767.tif 000005
【図３】
2008172767.tif 000006
【図４】
2008172767.tif 000007
【図５】
2008172767.tif 000008
【図６】
2008172767.tif 000009
【図７】
2008172767.tif 000010
【図８】
2008172767.tif 000011
【図９】
2008172767.tif 000012
【図１０】
2008172767.tif 000013